(57)【要約】【課題】溶解液から分離して薬剤を収納し、使用直前に薬剤を溶解させる。【解決手段】溶解液を入れる容器１０と、薬剤を仕切り２１上に収納するカプセル体２０と、仕切り２１上に脆接着する操作体３０と、操作体３０の操作アーム３２、３２に係合する係合片４３、４３…付きのノズルキャップ４０とを設け、操作体３０の笠部３１により仕切り２１上の膨出部２２の開口部２２ａ、２２ａを閉じ、ノズルキャップ４０を回転させて開口部２２ａ、２２ａを開放して容器１０に連通させる。【選択図】図１
2007252759.tif 000002
【特許請求の範囲】
【請求項１】
溶解液を入れる容器と、該容器の口部に装着し、中間の仕切り上に薬剤を収納するカプセル体と、前記仕切り上に脆接着し、一対の上向きの操作アームを軸対称に形成する操作体と、滴下ノズルを有し、前記カプセル体の上端に水密かつ相対回転可能に装着するノズルキャップとを備えてなり、前記仕切り上には、上向きの膨出部を設け、該膨出部の周側面には、前記容器に連通する一対の開口部を軸対称に形成する一方、前記ノズルキャップの天面には、前記各操作アームの上端部に係合する係合片を垂設し、前記操作体は、前記膨出部に被せて前記開口部を閉じる笠部を有し、該笠部には、前記ノズルキャップを介して前記操作体を軸まわりに回転させて前記開口部を開放する一対の切欠きを軸対称に設けることを特徴とする点眼薬容器。
【請求項２】
前記笠部は、前記膨出部に脆接着することを特徴とする請求項１記載の点眼薬容器。
【請求項３】
前記カプセル体は、前記操作体を脆接着する部分にしぼ加工を施すことを特徴とする請求項１または請求項２記載の点眼薬容器。
【請求項４】
前記係合片は、前記各操作アームに対応する各一対を設けることを特徴とする請求項１ないし請求項３のいずれか記載の点眼薬容器。
【発明の詳細な説明】
【技術分野】
【０００１】
この発明は、液剤として保存すると変質し易い有効成分を含む目薬に好適に適用することができる点眼薬容器に関する。
【背景技術】
【０００２】
抗生物質などの有効成分の中には、液剤として保存すると変質し易いものがあり、このような薬剤は、粉末製剤、顆粒製剤、凍結乾燥製剤などの乾燥薬剤として溶解液と分離して保存し、使用直前に溶解させて使用することが好ましい。
【０００３】
そこで、このような薬剤と溶解液とを分離して収納し、使用直前に溶解させることができる輸液容器が知られている（特許文献１）。このものは、溶解液を入れる可撓性のバッグと、バッグの口部に装着し、薬剤を収納する収納部とを連接して構成されている。収納部の底面には、バッグに連通する一対の扇形の開口部が軸対称に形成されており、各開口部は、収納部の底面上に脆接着する扇形の切欠き付きの操作体によって閉じられている。操作体の上面には、一対の操作アームが軸対称に立設され、各操作アームの上端部は、収納部の上端を塞ぐゴム栓の下面の凹部に挿入されている。そこで、このものは、ゴム栓を捻じると、脆接着の部分が破断して操作体が回転し、開口部を開放して薬剤を溶解液に溶解させることができる。ただし、ゴム栓は、輸液装置の注射針を刺挿して輸液を排出するために使用する。
【特許文献１】特許第３２８１３８８号公報の実施例７
【発明の開示】
【発明が解決しようとする課題】
【０００４】
かかる従来技術によるときは、輸液容器は、数１０〜数１００mlの大容量の溶解液を使用することが前提であり、たかだか数mlの小容量の溶解液を使用して極く少量の薬剤を溶解させる点眼薬容器として適用することが必ずしも容易でないという問題があった。すなわち、点眼薬容器は、薬剤を収納する収納部が小さいため、底部に開口する開口部の断面積も小さく、薬液の溶解の際に溶解液の流出が円滑でない上、排出不能な残液が相対的に過大となり、実用性に欠けるおそれがあるからである。また、点眼薬容器は、輸液容器と異なり、ゴム栓を使用することがないため、ゴム栓を捻じって操作体を回転駆動することが本質的に不可能であるからである。
【０００５】
そこで、この発明の目的は、かかる従来技術の問題に鑑み、カプセル体の中間の仕切り上に開口部付きの膨出部を設け、膨出部に被せて開口部を閉じる笠部を操作体に設けるとともに、ノズルキャップを水密かつ相対回転可能にカプセル体に装着することによって、溶解液から分離して薬剤を収納し、使用直前に薬剤を溶解させて使用する目薬に好適に適用することができる点眼薬容器を提供することにある。
【課題を解決するための手段】
【０００６】
かかる目的を達成するためのこの発明の構成は、溶解液を入れる容器と、容器の口部に装着し、中間の仕切り上に薬剤を収納するカプセル体と、仕切り上に脆接着し、一対の上向きの操作アームを軸対称に形成する操作体と、滴下ノズルを有し、カプセル体の上端に水密かつ相対回転可能に装着するノズルキャップとを備えてなり、仕切り上には、上向きの膨出部を設け、膨出部の周側面には、容器に連通する一対の開口部を軸対称に形成する一方、ノズルキャップの天面には、各操作アームの上端部に係合する係合片を垂設し、操作体は、膨出部に被せて開口部を閉じる笠部を有し、笠部には、ノズルキャップを介して操作体を軸まわりに回転させて開口部を開放する一対の切欠きを軸対称に設けることをその要旨とする。
【０００７】
なお、笠部は、膨出部に脆接着することができ、カプセル体は、操作体を脆接着する部分にしぼ加工を施すことができ、係合片は、各操作アームに対応する各一対を設けることができる。
【発明の効果】
【０００８】
かかる発明の構成によるときは、カプセル体は、中間の仕切り上に薬剤を収納し、容器に連通する開口部は、仕切り上に形成する膨出部の周側面に軸対称に開口されている。そこで、各開口部は、必要十分に大きな断面積にすることができる上、同一平面上に開口していないため、容器内の溶解液と空気との置換が容易であり、薬剤の溶解に際し、容器からの溶解液をカプセル体の仕切り上に円滑に流出させることができる。また、カプセル体の外形サイズを取扱いし易い大きさ、形態にしても、仕切りの位置を適切に設定することにより、薬剤を収納する仕切り上の内容積を必要最小に抑えるとともに、膨出部を介して容器内の薬液の全量を排出させることにより、排出不能な残液を実質的になくすることができる。
【０００９】
ただし、仕切り上の膨出部は、軸まわりに対称な回転体形状であれば、ドーム形、半球形、円錐形、円錐台形などのいずれであってもよく、周側面の開口部を大きくし、笠部との適合性をよくすることができる点で、円錐台形とすることが特に好ましい。なお、膨出部は、下部開放に形成し、周側面の開口部は、仕切りの上面から周側面のほぼ全長に亘って開口させることが好ましい。また、笠部の下面形状は、膨出部の外形に正確に適合させるものとする。
【００１０】
操作体は、カプセル体の仕切り上に脆接着されており、その状態では、笠部を介して膨出部の開口部を閉じている。そこで、ノズルキャップを捻じるようにして回転させると、操作体は、カプセル体との脆接着部分が破断して軸まわりに回転し、笠部の切欠きを開口部に対応させて開口部を全面的に開放することができる。操作体は、操作アームをノズルキャップの天面の係合片に係合させることにより、ノズルキャップと一体に回転駆動可能であるからである。また、このときのノズルキャップの所要回転量は、９０°で十分である。膨出部の開口部、笠部の切欠きは、それぞれ軸対称に一対ずつが形成されているからである。
【００１１】
操作体の笠部をカプセル体の膨出部に脆接着すれば、脆接着する部分の面積を大きくして接着強度を増大させることができる。なお、カプセル体は、操作体を脆接着する部分にしぼ加工を施すことにより、脆接着部分を破断するとき、操作体を円滑に分離させることができ、破断面が損われるおそれがない。
【００１２】
ノズルキャップの天面に設ける係合片は、操作体の各操作アームに対応する各一対を設けることにより、各操作アームを軸まわりに拘束し、ノズルキャップを回転させることによる回転駆動力を操作体に確実に伝達することができる。なお、係合片、操作アームは、それぞれ軸まわり方向の強度が十分大きくなるように、適切に補強することが好ましい。また、係合片を長く垂下させれば、操作アームの所要長さを短くして、操作アームに加えられる曲げモーメントを小さく抑えることができる。
【発明を実施するための最良の形態】
【００１３】
以下、図面を以って発明の実施の形態を説明する。
【００１４】
点眼薬容器は、溶解液Ｗを入れる容器１０と、中間の仕切り２１上に薬剤Ｄを収納するカプセル体２０と、ノズルキャップ４０とを組み合わせてなる（図１、図２）。ただし、カプセル体２０内には、操作体３０が組み込まれ、ノズルキャップ４０には、ねじ式のキャップ５０が付属している。また、図１、図２において、カプセル体２０、操作体３０、ノズルキャップ４０は、軸まわりに９０°回転させた異なる２位置の半断面図として図示されている。
【００１５】
容器１０は、容量５〜８ml程度の小容量の円筒容器である。容器１０の上向きの口部１１の外周には、雄ねじ１２が形成されており、口部１１の下部には、まわり止め用の爪１３、１３…が９０°ごとに突設形成されている。
【００１６】
カプセル体２０は、容器１０と同一外径の円筒状部材である。カプセル体２０の中間には、仕切り２１が形成されている。仕切り２１上には、下部開放の円錐台形の膨出部２２が軸心Ｃ上に上向きに形成され、膨出部２２の斜めの周側面には、一対の扇形の開口部２２ａ、２２ａが軸対称に形成されている（図１、図３）。なお、各開口部２２ａの上辺は、膨出部２２の天面に一致し、膨出部２２、開口部２２ａ、２２ａは、仕切り２１の下面相当の位置から立ち上っている。
【００１７】
仕切り２１の下面には、カプセル体２０の下端に到達しない内筒２３が垂設されており（図１、図２）、内筒２３の内周には、容器１０の雄ねじ１２に適合する雌ねじ２３ａが形成されている。また、仕切り２１の下面には、膨出部２２の下部に連接する短いスカート体２４が内筒２３内に併せて垂設されている。スカート体２４は、外周下部が滑らかに薄肉化され、容器１０の口部１１に圧入可能である。なお、スカート体２４、内筒２３の間には、シール用の環状リブ２５が仕切り２１の下面に形成されている。
【００１８】
カプセル体２０の上部外周には、上面が斜めの環状リブ２６が形成され、環状リブ２６上には、一対の上向きの係合突部２６ａ、２６ａが軸対称に形成されている。また、カプセル体２０の下部には、一対の位置決め用の縦長の平坦面２７、２７が軸対称に形成されている。さらに、内筒２３の外面には、内筒２３の下端に僅かに突出する上下方向の突条２８、２８…が９０°ごとに形成されている。ただし、一対の突条２８、２８は、平坦面２７、２７に対応するように配置され、それぞれ内筒２３の外面と平坦面２７の内面との間に挟み込むように形成されている。なお、図１には、一方の係合突部２６ａ、１本の突条２８の下端部のみが図示されている。また、図４は、操作体３０を含むカプセル体２０の一部切欠き斜視図である。
【００１９】
カプセル体２０は、雌ねじ２３ａに雄ねじ１２をねじ込むことにより容器１０の口部１１に水密に装着することができる（図２）。このとき、カプセル体２０のスカート体２４は、容器１０の口部１１に圧入され、口部１１の上端は、スカート体２４、内筒２３の間に進入し、口部１１の上端面がシール用の環状リブ２５を介して仕切り２１の下面に圧接することにより、口部１１がシールされる。また、カプセル体２０、容器１０は、前者の突条２８、２８…の下端、後者の爪１３、１３…が係合することにより、もどり止めすることができる。ただし、爪１３、１３…は、軸まわりに傾くラチェット爪としてもよく、口部１１の径方向に突出する細径の突起爪としてもよい。
【００２０】
操作体３０は、カプセル体２０の膨出部２２に被せて開口部２２ａ、２２ａを閉じる円錐台形の笠部３１を共通の軸心Ｃ上に有する（図１、図２）。笠部３１には、一対の略扇形の切欠き３１ａ、３１ａが軸対称に形成されており（図６（Ａ））、各切欠き３１ａの頂部は、笠部３１の上面にまで達している。各切欠き３１ａの頂角は、カプセル体２０の各開口部２２ａの頂角より大きいものとし、したがって、操作体３０を軸まわりに９０°回転させて切欠き３１ａ、３１ａを開口部２２ａ、２２ａに対応させると、開口部２２ａ、２２ａを全面的に開放させることができる（図６（Ｂ））。
【００２１】
笠部３１の下端には、略扇形の段付きのベース３１ｂ、３１ｂ上に一対の上向きの操作アーム３２、３２が軸対称に立設されている（図１、図６（Ａ））。各操作アーム３２は、内面側、外面側が軸心からの距離相当の曲率で湾曲する略長円形断面に形成されている。各操作アーム３２の左右には、同様に湾曲する略三角形の補強板３２ａ、３２ａがベース３１ｂとの間に付設されており（図４、図６（Ａ））、各操作アーム３２の内面側、外面側には、それぞれ上下方向の補強リブ３２ｂが形成されている。
【００２２】
操作体３０のベース３１ｂ、３１ｂ、笠部３１は、開口部２２ａ、２２ａを閉じるようにして、それぞれカプセル体２０の仕切り２１上、膨出部２２上に脆接着されている（図１、図２）。なお、仕切り２１の上面、膨出部２２の外面には、操作体３０を脆接着する部分にしぼ加工が施されている（図３の二点鎖線Ｓの範囲）。このような脆接着は、たとえばポリプロピレン１００％によりカプセル体２０を一体成形した後、ポリプロピレン３〜３０％、高密度ポリエチレン９７〜７０％の溶融混合樹脂により操作体３０をインサート成形することにより実現することができる。
【００２３】
ノズルキャップ４０は、カプセル体２０の上端に適合する滴下ノズル４１付きのキャップ体である（図１、図２）。ノズルキャップ４０は、たとえば低密度ポリエチレンにより一体成形されている。滴下ノズル４１の共通の軸心Ｃ上には、ノズル孔４１ａが開口しており、滴下ノズル４１の外周には、雄ねじ４１ｂが形成されている。また、ノズルキャップ４０の下部のスカート体４２の外周には、ローレット４２ａ、４２ａ…が形成されており、一対の位置決め用の平坦面４２ｂ、４２ｂが軸対称に形成されている。ただし、平坦面４２ｂ、４２ｂは、カプセル体２０の平坦面２７、２７とほぼ同形であり、図２には、一方の平坦面４２ｂのみが図示されている。
【００２４】
スカート体４２の天面には、操作体３０の各操作アーム３２に対応するようにして、各一対の係合片４３、４３…が共通の軸心Ｃのまわりに円形に垂設されている（図４、図７（Ａ））。ただし、図７（Ａ）、（Ｂ）は、それぞれノズルキャップ４０の下面図、図１のＸ−Ｘ矢視相当端面図である。一方の操作アーム３２に対応する一対の係合片４３、４３は、操作アーム３２の上端部を進入させて左右から挟み込むことができるように、操作アーム３２の幅より僅かに大きい間隔を隔てて対向配置されている。係合片４３、４３は、ノズルキャップ４０の軸まわりに湾曲し、それぞれ操作アーム３２に近付くに従って短く、かつ幅広に形成されており、操作アーム３２に対向する側の端面は、操作アーム３２の断面形状に適合する上下方向の凹面に形成されている。
【００２５】
スカート体４２の天面には、係合片４３、４３…の外側に短いスカート体４４が垂設されている（図１、図７（Ａ））。スカート体４４の外周下部は、滑らかに薄肉となっており、スカート体４４は、カプセル体２０の上端に圧入可能である。
【００２６】
スカート体４２の下部内周には、カプセル体２０の外周の環状リブ２６に対応する係合溝４５が全周に亘って形成されている（図１、図４）。なお、係合溝４５の一部は、一対の幅広部４５ａ、４５ａとして形成され（図４、図５、図７（Ｂ））、幅広部４５ａ、４５ａには、それぞれの片端側に寄せてストッパ４５ｂ、４５ｂが軸対称に形成されている。ただし、幅広部４５ａ、４５ａは、スカート体４２の内周の９０°を超える範囲に軸対称に配置されており、カプセル体２０の係合突部２６ａ、２６ａを収納して、ストッパ４５ｂ、４５ｂとともにカプセル体２０に対するノズルキャップ４０の相対回転範囲を規制する。
【００２７】
キャップ５０は、ノズルキャップ４０の滴下ノズル４１を着脱自在に封止する（図１、図２）。すなわち、キャップ５０の外周には、ローレット５１、５１…が形成され、内周には、滴下ノズル４１の雄ねじ４１ｂに適合する雌ねじ５２が形成されている。また、キャップ５０の天面には、ノズル孔４１ａを封止する突栓５３が垂設されている。
【００２８】
ノズルキャップ４０は、カプセル体２０の上端に被せて軸方向に押圧し（図２の矢印Ｋ1 、Ｋ1 方向）、カプセル体２０の環状リブ２６をノズルキャップ４０の係合溝４５に弾発的に係合させることにより、カプセル体２０の上端に対し、一挙動により水密かつ相対回転可能に装着することができる。カプセル体２０の上端は、ノズルキャップ４０のスカート体４４、４２の間に進入してノズルキャップ４０の天面に到達するとともに、内側のスカート体４４は、カプセル体２０に圧入されるからである。
【００２９】
なお、このとき、カプセル体２０側の各係合突部２６ａは、対応する幅広部４５ａのうち、ストッパ４５ｂによって区切られる長い方の側の一端部に収納される（図７（Ｂ）の矢印Ａ、Ａ）。また、ノズルキャップ４０の係合片４３、４３…は、カプセル体２０に脆接着されている操作体３０の各操作アーム３２の上端部を左右から挟み込むようにして係合し（図４、図７（Ａ））、したがって、係合片４３、４３…は、各一対ごとに、対応する操作アーム３２を軸まわりに拘束している。なお、各操作アーム３２の左右の係合片４３、４３は、操作アーム３２に近付くに従って低く、先端が斜面に形成されているから、両者の相対位置関係が軸まわりに多少ずれても、操作アーム３２の上端部を係合片４３、４３の間に円滑に進入させることができる。
【００３０】
以上のようなノズルキャップ４０の装着時におけるカプセル体２０、操作体３０の相対位置関係は、ノズルキャップ４０の平坦面４２ｂ、４２ｂと、カプセル体２０の平坦面２７、２７との相対角度を９０°に設定することにより、外部から容易に規制することができる（図４）。すなわち、カプセル体２０において、係合突部２６ａ、２６ａは、膨出部２２の開口部２２ａ、２２ａ、操作体３０の操作アーム３２、３２に対して９０°ずれて配置されており、平坦面２７、２７は、係合突部２６ａ、２６ａ、開口部２２ａ、２２ａの双方に対して４５°ずれて配置されている。また、ノズルキャップ４０において、平坦面４２ｂ、４２ｂは、各一対の係合片４３、４３…に対して４５°ずれて配置されており（図７（Ａ））、幅広部４５ａ、４５ａは、平坦面４２ｂ、４２ｂに対して９０°ずれて配置されている（図７（Ｂ））。
【００３１】
そこで、カプセル体２０の仕切り２１上に薬剤Ｄを充填して（図２）、キャップ５０付きのノズルキャップ４０をカプセル体２０の上端に装着するとともに、溶解液Ｗを充填した容器１０の口部１１にカプセル体２０を装着すると、容器１０、カプセル体２０、ノズルキャップ４０を一体に組み立て、薬剤Ｄを溶解液Ｗと分離して内部に収納保存することができる。カプセル体２０の開口部２２ａ、２２ａは、操作体３０を脆接着することにより、操作体３０の笠部３１を介して閉じられているからである。
【００３２】
薬剤Ｄを使用するときは、カプセル体２０に対してノズルキャップ４０を左に強く捻じって９０°回転させ、両者の平坦面４２ｂ、４２ｂ、２７、２７の位置を一致させる（図２、図４の各矢印Ｋ2 方向、図５）。このとき、カプセル体２０の係合突部２６ａ、２６ａは、それぞれ対応する幅広部４５ａ内を相対移動してストッパ４５ｂを越え、ストッパ４５ｂと幅広部４５ａとの先端との間にロックされる（図７（Ｂ）の矢印Ｂ、Ｂ）。また、カプセル体２０内の操作体３０は、ノズルキャップ４０の係合片４３、４３…を介して操作アーム３２、３２に軸まわりの回転力が加えられるため、脆接着が破壊されてノズルキャップ４０とともに９０°回転し（図５の二点鎖線）、切欠き３１ａ、３１ａを介してカプセル体２０の開口部２２ａ、２２ａを全面的に開放して容器１０に連通させることができる。
【００３３】
そこで、全体を振り混ぜれば、カプセル体２０内の薬剤Ｄの全量を容器１０内の溶解液Ｗに速やかに混合して溶解させ、薬剤Ｄを有効成分とする薬液Ｗd として調整することができる。また、操作体３０は、ストッパ４５ｂ、４５ｂにより幅広部４５ａ、４５ａ内に係合突部２６ａ、２６ａがロックされる結果、ノズルキャップ４０を介して開口部２２ａ、２２ａを開放させた状態にロックされる。
【００３４】
薬液Ｗd を点眼するときは、キャップ５０を取り外して全体を倒立させ（図８）、手指で容器１０の胴部を押圧して弾性変形させる。このとき、薬液Ｗd は、開口部２２ａ、２２ａを介して容器１０からカプセル体２０内に流出し、下向きの滴下ノズル４１のノズル孔４１ａから液滴Ｗa として滴下させることができる。なお、開口部２２ａ、２２ａを仕切り２１の上面から膨出部２２の天面にまで開口させるとともに、操作体３０の切欠き３１ａ、３１ａを介して開口部２２ａ、２２ａを全面的に開放させ、さらに、ノズルキャップ４０のスカート体４２の天面を滴下ノズル４１に向けて漏斗状に傾斜させることにより、薬液Ｗd の排出不能な残量を極少に抑えることができる。
【００３５】
以上の説明において、ノズルキャップ４０を介して操作体３０の脆接着を破断させ、カプセル体２０の開口部２２ａ、２２ａを開放させるとき、ノズルキャップ４０の回転方向は、左向きに代えて右向きとなるように、カプセル体２０の係合突部２６ａ、２６ａ、ノズルキャップ４０の幅広部４５ａ、４５ａの相対配置関係を変更することができる。また、カプセル体２０、ノズルキャップ４０の平坦面２７、２７、４２ｂ、４２ｂも、ノズルキャップ４０をカプセル体２０の上端に装着する際に両者の位置を一致させ、ノズルキャップ４０を９０°回転させて開口部２２ａ、２２ａを開放させると両者が９０°ずれるように、相対位置関係を設定してもよい。
【図面の簡単な説明】
【００３６】
【図１】全体構成分解図
【図２】全体組立図
【図３】カプセル体の上面図
【図４】要部分解斜視図（１）
【図５】要部分解斜視図（２）
【図６】操作体の上面説明図
【図７】ノズルキャップの構成説明図
【図８】使用状態説明図
【符号の説明】
【００３７】
Ｗ…溶解液
Ｄ…薬剤
１０…容器
１１…口部
２０…カプセル体
２１…仕切り
２２…膨出部
２２ａ…開口部
３０…操作体
３１…笠部
３１ａ…切欠き
３２…操作アーム
４０…ノズルキャップ
４１…滴下ノズル
４３…係合片
特許出願人          伸晃化学株式会社
代理人  弁理士        松  田  忠  秋
【図１】
2007252759.tif 000003
【図２】
2007252759.tif 000004
【図３】
2007252759.tif 000005
【図４】
2007252759.tif 000006
【図５】
2007252759.tif 000007
【図６】
2007252759.tif 000008
【図７】
2007252759.tif 000009
【図８】
2007252759.tif 000010